(57)【要約】【課題】  光学部材の取付けが簡素である照明装置およびこの照明装置を具備する照明器具を提供する。【解決手段】  照明装置１は、一端側４ａに給電部２９が設けられた本体部４と、基板取付面２２および基板取付面２２に凹部２１を有し、本体部４の他端側４ｂに設けられた取付部２０と、貫通孔１０を有し、貫通孔１０が凹部２１と交差するように基板取付面２２に設けられた基板８と、基板８に実装された光源９と、光源９の放射光を制御する光学部３３、光学部３３を支持する脚部３４および脚部３４の光学部３３の反対側に設けられ、貫通孔１０を挿通して凹部２１に挿入可能な土台部３５を有し、土台部３５が凹部２１において基板８によって固定される光学部材５と、を具備している。【選択図】図１
2015106469.tif 000002
【特許請求の範囲】
【請求項１】
一端側に給電部が設けられた本体部と；
基板取付面およびこの基板取付面に凹部を有し、前記本体部の他端側に設けられた取付部と；
貫通孔を有し、この貫通孔が前記凹部と交差するように前記基板取付面に設けられた基板と；
この基板に実装された光源と；
この光源の放射光を制御する光学部、この光学部を支持する脚部およびこの脚部の前記光学部の反対側に設けられ、前記貫通孔を挿通して前記凹部に挿入可能な土台部を有し、前記土台部が前記凹部において前記基板によって固定される光学部材と；
を具備していることを特徴とする照明装置。
【請求項２】
前記基板は、前記貫通孔が前記凹部と直交するように前記基板取付部に設けられていることを特徴とする請求項１記載の照明装置。
【請求項３】
前記土台部は、前記脚部の先端側に設けられた軸部およびこの軸部の両側に互いに反対方向に突出する柱状の固定部を有してなり、前記貫通孔は、前記軸部が挿通する軸孔部およびこの軸孔部の両側に設けられた長孔部を有してなり、前記凹部は、前記土台部の軸部および固定部がそれぞれ挿入する軸受部および溝部を有してなり、前記土台部の固定部が前記凹部の溝部において前記取付部および前記基板により挟持されて固定されていることを特徴とする請求項１または２記載の照明装置。
【請求項４】
前記本体部の給電部が口金であり、前記本体部内に前記光源を点灯する点灯装置が収納されている請求項１ないし３いずれか一記載の照明装置と；
この照明装置の前記給電部が接続されるソケットを有する器具本体と；
を具備していることを特徴とする照明器具。
【請求項５】
一端側に給電部が設けられた本体部と；
基板取付面およびこの基板取付面に凹部を有し、前記本体部の他端側に設けられた取付部と；
貫通孔を有し、この貫通孔が前記凹部と交差するように前記基板取付面に設けられた基板と；
この基板に実装された光源と；
この光源の放射光を制御する光学部、この光学部を支持する脚部およびこの脚部の前記光学部の反対側に設けられ、前記貫通孔を挿通して前記凹部に挿入可能な土台部を有する光学部材と；
を具備し、前記土台部を前記貫通孔に挿通させた後に、前記土台部が前記貫通孔と交差するように前記光学部材または前記基板を回転させ、次に、前記土台部を前記凹部に挿入し、前記基板を前記取付部の前記基板取付面に固定することにより、前記土台部が前記取付部の前記凹部に固定することを特徴とする照明装置の製造方法。
【発明の詳細な説明】
【技術分野】
【０００１】
本発明の実施形態は、光学部材を備える照明装置およびこの照明装置を配設する照明器具に関する。
【背景技術】
【０００２】
ＬＥＤ（発光ダイオード）を光源とする照明装置は、ＬＥＤの光を効率よく放射させるために、あるいは所定の配光を得るために、反射体やレンズなどの光学部材によりＬＥＤの光を制御している（例えば特許文献１，２参照。）。
【０００３】
そして、レンズを用いる照明装置は、例えばケース部材に設けられた凹部にレンズが装着されているものがある。そして、ケース部材は、ＬＥＤが実装された基板にレンズ（凹部）がＬＥＤに対向するようにして取り付けられている。あるいは、ケース部材は、基板が取り付けられる筐体（装置本体）に、レンズがＬＥＤに対向するようにして取り付けられている。
【先行技術文献】
【特許文献】
【０００４】
【特許文献１】特開２０１０−４０２２３号公報（第５頁、第１図）
【特許文献２】特開２００９−９８２６号公報（第５頁、第１図）
【発明の概要】
【発明が解決しようとする課題】
【０００５】
レンズを装着するケース部材を基板や筐体に取り付ける構成は、複雑であり、照明装置をコストアップさせるという欠点を有する。
【０００６】
本実施形態は、光学部材の取付けが簡素である照明装置およびこの照明装置を具備する照明器具を提供することを目的とする。
【課題を解決するための手段】
【０００７】
本実施形態の照明装置は、本体部、取付部、基板、光源および光学部材を有して構成される。
【０００８】
本体部は、一端側に給電部が設けられる。取付部は、本体部の他端側に設けられる。そして、取付部は、基板取付面およびこの基板取付面に形成された凹部を有する。
【０００９】
基板は、貫通孔を有し、この貫通孔が取付部の凹部と交差するように取付部の基板取付面に設けられる。光源は、基板に実装される。
【００１０】
光学部材は、光学部、脚部および土台部を有して形成される。光学部は、光源の放射光を制御する。脚部は、光学部を支持する。土台部は、脚部の光学部の反対側に設けられており、基板の貫通孔を挿通して取付部の凹部に挿入可能に形成される。そして、光学部材は、土台部が取付部の凹部において基板によって固定されることにより、取付部に固定される。
【発明の効果】
【００１１】
本発明の実施形態によれば、光学部材は、土台部が基板の貫通孔を挿通して取付部の凹部に挿入され、取付部の基板取付面に基板が設けられたときに基板で凹部が塞がれるので、土台部が凹部の表面と基板とに挟まれることにより凹部に固定され、これにより、光学部材が取付部に簡素な構成で容易に取り付けられることが期待できる。
【図面の簡単な説明】
【００１２】
【図１】本発明の第１の実施形態を示す照明装置の概略側断面図である。
【図２】同上、照明装置のカバー体を取り外した状態の概略上面図である。
【図３】同上、照明装置のカバー体および光学部材を取り外した状態の概略上面図である。
【図４】同上、光学部材を示し、（ａ）は概略正面図、（ｂ）は概略下面図である。
【図５】同上、他の光学部材を示す概略正面図である。
【図６】本発明の第２の実施形態を示す照明器具の一部切り欠き概略側面図である。
【発明を実施するための形態】
【００１３】
以下、本発明の一実施の形態について、図面を参照して説明する。まず、本発明の第１の実施形態について説明する。
【００１４】
本実施形態の照明装置１は、電球用ソケットに着脱されるミニクリプトン電球タイプのＬＥＤ電球であり、図１に示すように、発光体２、取付け体３を有する本体部としての外囲器４、光学部材としてのレンズ体５、カバー体６および点灯装置７を有して構成されている。
【００１５】
発光体２は、基板８および光源としての複数個のＬＥＤ素子９を有して形成されている。基板８は、高熱伝導率を有する金属板、例えば厚さ１．０ｍｍのアルミニウム（Ａｌ）板からなり、図３に示すように、円盤に形成されている。基板８には、長形の貫通孔１０が形成されている。貫通孔１０は、基板８の中心８ｃに形成された円形の軸孔部１０ａおよびこの軸孔部１０ａの直径よりも幅小であって、軸孔部１０ａの両側において基板８の直径方向に形成された長方形の長孔部１０ｂからなっている。
【００１６】
そして、基板８は、その一面８ａに不図示の絶縁層が形成され、この絶縁層上に複数個のＬＥＤ素子９が実装されている。複数個のＬＥＤ素子９は、貫通孔１０の周りに設けられ、基板８の中心８ｃに対して同心円状となり、ほぼ等間隔となるように設けられている。そして、複数個のＬＥＤ素子９は、絶縁層上に形成された不図示の配線パターンにより直列接続されて、絶縁層上に設けられたコネクタ１１に接続されている。そして、直列接続されたＬＥＤ素子９は、コネクタ１１に電気接続されたコネクタ１２付きの出力線１３により、点灯装置７に接続されている。ＬＥＤ素子９は、パッケージ品であり、例えば白色光を放射するものが用いられている。
【００１７】
ＬＥＤ素子９およびコネクタ１１の周りの絶縁層上には、配線パターン等を絶縁する例えば白色レジスト１４が塗布されている。そして、基板９の外周縁８ｄには、中心８ｃに対して等間隔、本実施形態では１２０°間隔で、複数個（３個）の切り欠き部１５が形成されている。基板９（発光体２）は、切り欠き部１５において、ねじ１６により後述の放熱板２０に固定されている。
【００１８】
外囲器４は、図１に示すように、本実施形態においては、高熱伝導率を有する金属材料例えばアルミニウム（Ａｌ）からなる外ケース１７と、取付け体３とから形成されている。外囲器４は、全体として、一端側４ａから他端側４ｂに緩やかに径大する略逆円錐台の筒状に形成されている。そして、外ケース１７は、その他端側４ｂに内側に突出するボス１８が設けられている。このボス１８は、周回方向に１２０゜間隔で３個が形成されている。
【００１９】
また、外レース１１の他端側４ｂの内面４ｅには、嵌合凹部１９が周回方向に等間隔で複数個形成されている。そして、外ケース１７の他端側４ｂの端面４ｄは、平面に形成されている。外ケース１７は、アルミダイキャストにより、上述のように成型されている。
【００２０】
そして、外囲器４（外ケース１７）の端面４ｄに取付部としての放熱板２０が載せられている。放熱板２０は、不図示の接着剤例えばシリコーン接着剤により、端面４ｄに固定されている。放熱板２０には、長形の凹部２１が設けられている。放熱板２０は、高熱伝導率を有する比較的肉厚の金属板例えばアルミニウム板からなり、図３に示すように、円盤状に形成されている。放熱板２０の表面２０ａは、平面状の基板取付面２２となっている。凹部２１は、基板取付面２２の中央部に所定の深さに形成され、発光体２の貫通孔１０とほぼ同等の外形形状に形成されている。すなわち、凹部２１は、円形の軸受部２１ａおよび直方体形状（四角柱状）の溝部２１ｂに形成されている。このように、取付部としての放熱板２０は、基板取付面２０およびこの基板取付面２０に凹部２１を有している。
【００２１】
そして、基板取付面２２には、発光体２が複数個のねじ１６により取り付けられている。発光体２は、基板８の他面側８ｂ（図１に示す。）が基板取付面２２に密接するとともに、基板８の貫通孔１０が凹部２１に交差するように取り付けられている。本実施形態では、発光体２は、貫通孔１０が凹部２１と直交するように基板取付面２２に設けられている。
【００２２】
また、放熱板２０は、その外周縁２０ｄ側に、例えば長方形の挿通口２３が形成されている。この挿通口２３から点灯装置７の出力線１３が外囲器４の内部から基板取付面２２側に導出されて、出力線１３のコネクタ１２が発光体２のコネクタ１１に接続されている。また、放熱板２０の外周縁２０ｄには、後述するカバー体６の係止爪２４を通す切り欠き部２５が形成されている。切り欠き部２５は、外周方向に等間隔となるように、本実施形態では９０°間隔に形成されている。また、放熱板２０は、図１に示すように、外囲器４の外ケース１７との間でカバー体６の係止爪２４を係止する係止溝２６を形成するように、外形の大きさが設定されている。なお、外ケース１７は、熱伝導性の良好な樹脂またはセラミクスなどで形成されてもよい。
【００２３】
外ケース１７内には、その他端側４ｂから取付け体３が挿入されて取り付けられている。取付け体３は、一端側３ａが略円筒状に形成され、他端側３ｂが外ケース１７の内面４ｅに密接する外形形状の筒状に形成されている。そして、取付け体３は、電気絶縁性および高熱伝導性を有する合成樹脂、例えばポリブチレンテレフタレート（ＰＢＴ）樹脂により形成されている。
【００２４】
取付け体３は、その他端側３ｂに設けた嵌合爪２７が外ケース１７の嵌合凹部１９に係止して外ケース１７に取り付けられている。嵌合爪２７は、周回方向に等間隔に嵌合凹部１９と同数が設けられている。
【００２５】
そして、取付け体３は、その一端側３ａ（外囲器４の一端側４ａ）の外面に凸条２８が螺旋状に形成されていて、この凸条２８に給電部としてのＥ形口金２９が螺合されている。Ｅ形口金２９は、取付け体３の一端側３ａの外面にかしめられて固定されている。
【００２６】
Ｅ形口金２９は、例えばＥ１７形であり、凸条２８に螺合されてかしめられて固定される雄ねじ部３０、この雄ねじ部３０の先端側３０ａに設けられる絶縁部３１およびこの絶縁部３１の頂点に設けられる頂上接続部３２を有して構成されている。
【００２７】
雄ねじ部３０は、例えばアルミニウム（Ａｌ）からなり、底部３０ｂを有する略円筒状に形成され、頂上接続部３２は、例えば真鍮からなり、凸条の外面３２ａを有する略円柱状に形成されている。絶縁部３１は、例えばガラスまたはセラミックからなり、円錐状に形成されて、雄ねじ部３０の底部３０ｂに接着されて取り付けられ、頂点に頂上接続部３２を設けている。
【００２８】
雄ねじ部３０および頂上接続部３２は、電球用ソケットを介して外部電源にそれぞれ電気接続される。絶縁部３１は、それぞれ金属である雄ねじ部３０および頂上接続部３２を離間して電気絶縁している。Ｅ形口金２９は、取付け体３に雄ねじ部３０が取り付けられることにより、外囲器４の一端側４ａに取り付けられている。
【００２９】
そして、Ｅ形口金２９と、金属である外ケース１７とは、取付け体３の外周面３ｄにより絶縁されている。外ケース１７は、高熱伝導率を有する例えばアルミニウム（Ａｌ）により形成されることにより、発光体２に発生した熱を迅速に伝熱して、外面４ｆから放出させる。したがって、外ケース１７が高熱伝導率かつ電気絶縁性を有する合成樹脂やセラミックで形成されるものであれば、取付け体３を外ケース１７と一体に成形して外囲器４を形成してもよい。
【００３０】
こうして、本体部としての外囲器４は、一端側４ａに給電部としてのＥ形口金２９が設けられており、他端側４ｂの端面４ｄに長形の凹部２１が形成された平面状の基板取付面２２を有する取付部としての放熱板２０を設けている。
【００３１】
そして、放熱板２０の基板取付面２２に発光体２（基板８）に正対して光学部材であるレンズ体５が設けられている。レンズ体５は、ＬＥＤ素子９から放射された放射光（白色光）の配光を制御するものであり、例えばポリカーボネート樹脂により形成されている。レンズ体５は、図４に示すように、光学部としてのレンズ部３３、脚部３４および土台部３５に成型されている。
【００３２】
レンズ部３３は、ＬＥＤ素子９の放射光を制御するものであり、有底の円筒部３６および主レンズ部３７に形成されている。円筒部３６は、上面（背面）３６ａおよび底面３６ｂがそれぞれ平面に形成され、周壁部３６ｄ側の上面３６ａに切り欠き部３８が形成されている。この切り欠き部３８は、発光体２の切り欠き部１５に対応して設けられたものであり、円筒部３６の中心３６ｃに対して１２０°間隔に３個が設けられている。主レンズ部３７は、発光体２のＬＥＤ素子９に対応して設けられ、図４（ｂ）に示すように、円筒部３６の底面３６ｂにおいて、円筒部３６の中心３６ｃ対して同心円状であって等間隔に、本実施形態では６０°間隔に６個が設けられている。各主レンズ部３７は、円筒部３６の底面３６ｂから次第に縮径する円錐台に形成されている。主レンズ部３７に入射したＬＥＤ素子９の放射光は、所定の配光となるように主レンズ部３７により光路変更されて、円筒部３６の上面（背面）３６ａから出射される。
【００３３】
脚部３４は、レンズ部３３と発光体２（基板８）との間を所定の間隔とするとともにレンズ部３３を支持するものであり、円筒部３６の底面３６ｂの中心３６ｃにおいて円筒部３６から垂下する円柱体に形成されている。土台部３５は、レンズ体５を放熱板２０の基板取付面２２に固定するものであり、脚部３４の先端側３４ａに長形に設けられている、すなわち、土台部３５は、円形状の軸部３５ａおよびこの軸部３５ａの両側に互いに反対方向に突出する四角柱状の固定部３５ｂに形成されている。固定部３５ｂは、上面３５ｃが軸部３５ａの直径より幅小に形成されている。また、土台部３５は、発光体２の基板８の貫通孔１０を挿通し、放熱板２０の基板取付面２２の凹部２１に挿入するとともに上面３５ｃが凹部２１から突出しない大きさに形成されている。ここで、土台部３５は、凹部２１に嵌合する程度に、凹部２１よりも若干小さい大きさに形成されているのが好ましい。
【００３４】
レンズ体５は、土台部３５が基板８の貫通孔１０を挿通して放熱板２０の凹部２１に挿入される。すなわち、土台部３５の軸部３５ａおよび固定部３５ｂがそれぞれ基板８の貫通孔１０の軸孔部１０ａおよび長孔部１０ｂを挿通し、放熱板２０の凹部２１の軸受部２１ａおよび溝部２１ｂに挿入される。この後、放熱板２０の基板取付面２２に発光体２がねじ１６により取り付けられる。発光体２が基板取付面２２に取り付けられると、図２に示すように、レンズ体５の土台部３５（放熱板２０の凹部２１）と、基板８の貫通孔１０とが本実施形態では直交して、基板８の他面８ｂ側が基板取付面２２に密接する。これにより、基板８の他面８ｂ側で凹部２１の溝部２１ｂが塞がれる。レンズ体５の土台部３５は、その固定部３５ｂが凹部２１の表面と基板８とにより挟持されて移動や回転が不能となり、凹部２１内に固定される。レンズ体５は、土台部３５の凹部２１内での固定により、放熱板２０の基板取付面２２に固定される。
【００３５】
また、レンズ体５は、発光体２が放熱板２０の基板取付面２２に取り付けられると、円筒部３６の各主レンズ部３７が発光体２の各ＬＥＤ素子９に所定の間隔を有して正対する。これにより、各ＬＥＤ素子９から放射された放射光が各主レンズ部３７に直接的に入射可能となっている。
【００３６】
図１において、カバー体６は、発光体２およびレンズ体５を覆うように外囲器４の他端側４ｂに設けられている。カバー体６は、透光性を有する樹脂材料からなっている。ここでは、例えばポリカーボネート（ＰＣ）樹脂により、他端側６ｂが閉塞され一端側６ａが開口されるとともに発光体２およびレンズ体５を覆うように略球面状に成型されている。そして、カバー体６は、一端側６ａの係止爪２４が外囲器４の他端側４ｂの係止溝２６に係止して外囲器４に取り付けられている。係止爪２４は、カバー体６の一端側６ａの開口において、本実施形態では周回方向に等間隔に４個が形成されている。カバー体６は、係止爪２４が放熱板２０の切り欠き部２５に嵌め込まれた後、回動されることにより、係止溝２６に係止されている。
【００３７】
点灯装置７は、回路基板３９および回路基板３９に実装された多種類の回路部品４０を備えて形成されている。回路基板３９は、ガラスエポキシ材などの合成樹脂板からなり、外囲器４の一端側４ａ（取付け体３の一端側３ａ）から他端側４ｂ（取付け体３の他端側３ｂ）に亘る長形に形成されて、外囲器４の一端側４ａから他端側４ｂに沿う方向に配設されている。取付け体３の内面３ｃには、一端側３ａから他端側３ｂに亘って、互いに正対する一対の基板取付け溝４１，４１（図１中、一方のみを示す。）が直線状に設けられている。この一対の基板取付け溝４１，４１に回路基板３９の幅方向の両端部が圧入されて取り付けられている。回路基板３９は、一端側３９ｃから他端側３９ｄに向かうにつれ段階的に幅広に形成され、回路部品４０の実装面積を可能な限り大きくして、Ｅ形口金２９内を含む外囲器４内に外囲器４の一端側４ａから他端側４ｂに沿う方向に配設されている。
【００３８】
回路基板３９は、少なくとも一面３９ａに回路部品４０が実装されている。回路部品４０は、トランスＴ１、コンデンサＣ１，Ｃ２および抵抗Ｒ１などの多数の部品からなっている。そして、回路基板３９の一端側３９ｃには、不図示の入力端子、他端側３９ｄには、不図示の出力端子が設けられている。入力端子には、入力線４２，４２が接続され、出力端子には、出力線１３，１３が接続されている。入力線４２，４２は、Ｅ形口金２９の頂上接続部３２および雄ねじ部３０に接続されている。また、出力線１３，１３は、コネクタ１２を装着し、このコネクタ１２が発光体２のコネクタ１１に接続されている。
【００３９】
そして、点灯装置７は、回路部品４０および不図示の配線パターンなどにより、発光体２のＬＥＤ素子９を点灯する点灯回路を形成している。点灯回路は、入力端子に外部電源の交流電圧（ＡＣ１００Ｖ）が印加されると、交流電圧を所定の直流電圧に変換し、出力端子からＬＥＤ素子９に定電流を供給するように形成されている。
【００４０】
次に、第１の実施形態の作用について述べる。
【００４１】
レンズ体５は、発光体２を放熱板２０に取り付ける前に放熱板２０の基板取付面２２に取り付けられる。レンズ体５を放熱板２０に取り付けるには、まず、その土台部３５を基板８の貫通孔１０に通す。貫通孔１０の軸孔部１０ａにレンズ体５の脚部３４が位置するので、基板８（発光体２）は、脚部３４を周りに回動可能となって、レンズ体５に付随するようになる。
【００４２】
そして、レンズ体５の土台部３５を放熱板２０の基板取付面２２の凹部２１に挿入する。このとき、土台部３５の軸部３５ａを凹部２１の軸受部２１ａに挿入するようにすることにより、土台部３５の凹部２１への挿入を容易に行える。そして、基板８を回転させて、基板８の切り欠き部１５において、基板８をねじ１６により基板取付面２２に完全に取り付ける。基板８は、その他面８ｂが基板取付面２２に密接するとともに、貫通孔１０が基板取付面２２の凹部２１と直交する。これにより、凹部２１の溝部２１ｂに基板８の他面８ｂ側が被さって、凹部２１の溝部２１ｂを閉塞する。なお、レンズ体５の土台部３５を放熱板２０の凹部２１に挿入する前に、レンズ体５または基板８を回転させて、レンズ体５の土台部３５と基板８の貫通孔１０とを交差させてもよい。この場合、レンズ体５および基板８が略一体化されて、両者が取り扱いやすくなる。
【００４３】
レンズ体５の土台部３５は、その固定部３５ｂが凹部２１の表面と基板８とにより挟み込まれて、凹部２１内において、移動や回転ができなくなり、凹部２１内に固定される。これにより、レンズ体５は、放熱板２０の基板取付面２２に固定されるとともに、発光体２とレンズ部３３との間が所定の間隔となり、レンズ部３３の各主レンズ部３７が発光体２の各ＬＥＤ素子９に正対するようになる。ＬＥＤ素子９から放射された放射光（白色光）は、大部分がレンズ部３７に入射可能となる。
【００４４】
このように、レンズ体５は、レンズ部３３、脚部３４および土台部３５を有して形成され、外囲器４は、その基板取付面２２に凹部２１が形成される簡素な構成において、発光体２を基板取付面２２に取り付けることにより、レンズ体５が取付部としての放熱板２０の基板取付面２２に容易に取り付けられる。
【００４５】
そして、照明装置（ＬＥＤ電球）１は、照明器具の電球用ソケットに装着される。そして、Ｅ形口金２９に外部電源の交流電圧が印加すると、点灯装置７が動作し、点灯装置７から発光体２の複数個のＬＥＤ素子９に所定の定電流（電力）が供給される。複数個のＬＥＤ素子９は、点灯して、白色光が放射される。白色光は、レンズ体５により配光が制御されて、略球面状のカバー体６を透過して所定方向の外部空間に放射される。当該外部空間は、所定の配光により照明されるようになる。
【００４６】
本実施形態の照明装置１によれば、レンズ体５は、その土台部３５が基板８の貫通孔１０を挿通して放熱板２０の基板取付面２２の凹部２１に挿入され、基板取付面２２に発光体２が取り付けられたときに基板８の他面８ｂ側で凹部２１の溝部２１ｂが塞がれるので、土台部３５が凹部２１の表面と基板８の他面８ｂとにより挟持されることにより凹部２１内に固定され、これにより、レンズ体５を放熱板２０の基板取付面２２に簡素な構成で容易に取り付けることができるとともに、照明装置１を安価にできるという効果を有する。
【００４７】
また、発光体２は、その貫通孔１０が放熱板２０の凹部２１と直交するように放熱板２０の基板取付面２２に設けられるので、発光体２の各ＬＥＤ素子９とレンズ体５の主レンズ部３７とを容易に正対させることができるという効果を有する。
【００４８】
なお、本実施形態において、レンズ体５は、レンズ部３３が円筒部３６および主レンズ部３７に形成されたが、これに限らず、図５に示すように、レンズ部４２やレンズ部４３などに形成されてもよい。レンズ部４２は、全体が円錐台に形成され、レンズ部４３は、椀形に形成されている。レンズ体５は、そのレンズ部がＬＥＤ素子９の放射光を所定の配光に制御するように形成されていればよいものである。
【００４９】
また、本実施形態において、レンズ体５の土台部３５は、円形状の軸部３５ａおよび四角形状（直方体形状）の固定部３５ｂに形成し、取付部としての放熱板２０の凹部２１は、円形状の軸受部２１ａおよび直方体形状（四角形状）の溝部２１ｂに形成したが、これに限らず、土台部３５および凹部２１は、長尺の形状であって嵌合し、レンズ体５を放熱板２０に固定するものであれば、その形状や大きさなどが所望に設定されるものである。そして、基板８の貫通孔１０は、レンズ体５の土台部３５および脚部３４が挿通し、基板８で凹部２１を塞いで凹部２１に土台部３５を固定できれば、形状や大きさなどは所望に設定されてもよい。また、土台部３５は、凹部２１から若干突出し、基板８が土台部３５を凹部２１内に押さえ付けるようにしてもよい。
【００５０】
また、光学部材は、レンズ体５に構成したが、これに限らず、反射体やプリズム体など、ＬＥＤ素子９の放射光を制御するものであればよい。シ
【００５１】
また、発光体２は、光源としてパッケージ品のＬＥＤ素子９を用いたが、これに限らず、ＬＥＤチップを用いて形成してもよい。また、光源として、有機エレクトロルミネセンス（ＥＬ）素子などの発光素子を用いてもよい。
【００５２】
また、給電部としてＥ形口金２９を設けたが、これに限らず、例えば差し込み形の口金であってもよい。また、カバー体６は、略球面状でなくてもよく、他端側６ｂが閉塞され一端側６ａが開口されていればその形状が限定されるものでなく、例えば椀状や正方形の箱状であってもよい。また、カバー体６は、透光性のガラスで形成されてもよい。また、本体部としての外囲器４は、滑らかに径大する略円錐台の筒状に限らず、円筒や角筒などの筒状であってもよい。
【００５３】
また、本実施形態の照明装置１は、ＬＥＤ電球に構成したが、これに限らず、例えば点灯装置７を別置するスポットライトなどの照明装置であってもよい。
【００５４】
次に、本発明の第２の実施形態について説明する。
本実施形態の照明器具５１は、図６に示すように構成される。なお、図１と同一部分には、同一符号を付して説明は省略する。
照明器具５１は、図１に示す照明装置（ＬＥＤ電球）１を使用するスポットライトであり、不図示のライティングレールに取り付けられる。照明器具５１は、器具本体５２、ソケットとしての電球用ソケット５３、図１に示す照明装置（ＬＥＤ電球）１、セード５４、アーム５５およびプラグ５６を有して構成されている。
【００５５】
器具本体５２は、外周面５２ａに一対の取付部５７，５７（図６中、一方のみを示す。）を有する略円筒状の箱体に形成されている。器具本体５２は、例えばアルミダイカストにより形成されている。そして、一端側端面５２ｂに電球用ソケット５３を配設している。電球用ソケット５３は、磁器製であり、照明装置１が螺着されて接続されている。
【００５６】
電球用ソケット５３の一部および照明装置１は、器具本体５２の一端側端面５２ｂに取り付けられたセード５４に収納されている。セード５４は、例えば厚さ０．８ｍｍの鋼板からなり、一端側５４ａよりも他端側５４ｂが幾分径大にされた略円筒状に形成されている。
【００５７】
そして、器具本体５２は、一対の取付部５７，５７において、一対の調整ナット５８，５８（図６中、一方のみを示す。）を用いてアーム５５に、アーム５５に対して回動可能に取り付けられている。アーム５５は、例えばアルミダイキャストにより、所定長の円筒体に形成されている。そして、アーム５５は、プラグ５６に、プラグ５６に対して回動可能に取り付けられている。
【００５８】
プラグ５６は、その本体部５９が略円筒状の箱体に形成されている。本体部５９は、例えばポリカーボネート樹脂により形成されている。そして、本体部５９の上面５９ａ側には、ライティングレールの被係止部に係止する一対の係止辺６０，６０およびライティングレールの導電部に電気接続する一対の端子辺６１，６１が設けられている。本体部５９の内部には、一対の端子辺６１，６１に電気接続されている一対の電源端子６２，６２（図６中、一方のみを示す。）が設けられており、この一対の電源端子６２，６２に電源線６３，６３（図６中、一方のみを示す。）が接続されている。そして、本体部５９の下面５９ｂにアーム５５が回動可能に取り付けられている。
【００５９】
電源線６３，６３は、本体部５９内からアーム５５の内部を通って器具本体５２内に配線され、電球用ソケット５３に電気接続されている。これにより、ライティングレールに外部電源が投入されると、プラグ５６の一対の端子辺６１，６１に外部電源が供給されることにより、電球用ソケット５３が通電される。
【００６０】
器具本体５２は、調整ナット５８，５８を緩めることにより、アーム５５に対して鉛直方向で０〜９０°回転され、調整ナット５８，５８を締め付けることにより、回転された鉛直角度でアーム５５に固定される。また、器具本体５２は、アーム５５に対して水平方向に回転力を加えることにより、アーム５５がプラグ５６に対して回転することにより、水平方向で０〜３６０°回転する。これにより、照明装置１を所定の方向に向けることができる。
【００６１】
そして、照明器具５１は、電球用ソケット５３が通電されると、照明装置１の点灯装置７が動作し、発光体２の各ＬＥＤ素子９に所定の定電流が供給される。これにより、複数個のＬＥＤ素子９が点灯し、各ＬＥＤ素子９から白色光が放射される。白色光は、発光体２に正対するレンズ体５により、その配光が制御されて、カバー体６から所定の照射方向に出射される。
【００６２】
本実施形態の照明器具５１よれば、器具本体５２は、照明装置１を所定の照射方向に向けることができ、照明装置１は、ＬＥＤ素子９の放射光を所定の配光に制御して放射するので、所望の照射空間や被照射物を所定の配光で照明できるという効果を有する。
【００６３】
なお、本実施形態の照明器具５１は、ライティングレールに取り付けられるスポットライトに構成したが、これに限らず、埋め込み形、吊り下げ形や直付け形などの照明器具であってもよい。
【００６４】
また、本発明の上述した実施形態は、例として提示したものであり、発明の範囲を限定することを意図していない。これらの新規の実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００６５】
１・照明装置としてのＬＥＤ電球、  ４・本体部としての外囲器、  ５・光学部材としてのレンズ体、  ８・基板、  ９・光源としてのＬＥＤ素子、  １０・貫通孔、  ２１・凹部、  ２２・基板取付面、  ２９・給電部としてのＥ形口金、  ３３・光学部としてのレンズ部、  ３４・脚部、  ３５・土台部、  ５１・照明器具、  ５２・器具本体、  ５３・ソケットとしての電球用ソケット
【図１】
2015106469.tif 000003
【図２】
2015106469.tif 000004
【図３】
2015106469.tif 000005
【図４】
2015106469.tif 000006
【図５】
2015106469.tif 000007
【図６】
2015106469.tif 000008